(57)【要約】【課題】表示部を表にして折り畳んだ状態でも、操作面に設けた十字キーと同様の機能を有する十字キーを正確に操作することができ、また、薄型化を図ることのできる折り畳み式電子機器を提供する。【解決手段】折り畳み式の携帯電話機１００は、第二の筐体２の操作面に十字キー２４２eが設けられるとともに、第二の筐体２の一つの側面に十字キー２４２eのうちの二方向のキーと同様の機能を有するサイド左右キー２０３が設けられている。また、液晶表示ディスプレイ１４が表となるように折り畳んだ際に、第一の筐体１の側面のうちサイド左右キー２０３と同じ側の側面に、十字キー２４２eのうちの他の二方向キーと同様の機能を有するサイド上下キー１０４が、サイド左右キー２０３に近接して設けられている。【選択図】図６
2007194855.tif 000002
【特許請求の範囲】
【請求項１】
表示部を有する第一の筐体と操作部を有する第二の筐体とを互いに開閉動作させる際に中心となる開閉軸と、
前記第一の筐体と前記第二の筐体とを開いた状態で前記第一の筐体を前記第二の筐体に対して回動動作させる際に中心となる回動軸と、を備えた折り畳み式電子機器において、
前記第二の筐体の操作面に十字キーが設けられるとともに、第二の筐体の一つの側面に前記十字キーのうちの二方向のキーと同様の機能を有する第二の筐体用二方向キーが設けられ、
前記表示部が表となるように前記第一の筐体を前記開閉軸を中心として折り畳んだ際に、前記第一の筐体の側面のうち前記第二の筐体用二方向キーと同じ側の側面に、前記十字キーのうちの他の二方向キーと同様の機能を有する第一の筐体用二方向キーが、前記第二の筐体用二方向キーに近接して設けられていることを特徴とする折り畳み式電子機器。
【請求項２】
表示部を有する第一の筐体と操作部を有する第二の筐体とを互いに開閉動作させる際に中心となる開閉軸と、
前記第一の筐体と前記第二の筐体とを開いた状態で前記第一の筐体を前記第二の筐体に対して回動動作させる際に中心となる回動軸と、を備えた折り畳み式電子機器において、  前記第二の筐体の操作面に十字キーが設けられるとともに、第二の筐体の一つの側面に前記十字キーのうちの二方向のキーと同様の機能を有する二つの第二の筐体用キーが互いに近接して設けられ、
前記表示部が表となるように前記第一の筐体を前記開閉軸を中心として折り畳んだ際に、前記第一の筐体の側面のうち前記二つの第二の筐体用キーと同じ側の側面に、前記十字キーのうちの他の二方向キーと同様の機能を有する二つの第一の筐体用キーが互いに近接するとともに、前記二つの第二の筐体用キーと近接して設けられていることを特徴とする折り畳み式電子機器。
【発明の詳細な説明】
【技術分野】
【０００１】
本発明は、折り畳み式電子機器に関する。
【背景技術】
【０００２】
折り畳み式の電子機器、特に携帯電話機において、表示部を有する第一の筐体と、操作部を有する第二の筐体とを、二軸ヒンジを介して連結し、表示部を表にしても裏にしても折り畳めるようにした二軸ヒンジ構造のものがある。この種の折り畳み式携帯電話機としては、第二の筐体の背面側にレンズを設けたカメラ機能付きの携帯電話機がある（例えば、特許文献１参照）。第二の筐体の背面側にレンズを設けたカメラ機能付きの携帯電話機では、表示部を表にして折り畳んだ状態で撮影する際に、この状態でシャッターボタンを押したり、ズームや明るさの調整を行うことができるように、第二の筐体の側面に、第二の筐体の操作面（表面）に設けられた各種設定／機能切替を行うための十字キーや決定キーと同様の機能を有する十字キーや決定キーが設けられている。第二の筐体の側面に設けられた十字キーや決定キーは、操作面に設けられた十字キーや決定キーとの対応関係がわかるような形状又は構成となっている。
【特許文献１】特開２００５−２７７６２７号公報
【発明の開示】
【発明が解決しようとする課題】
【０００３】
十字キーの場合、四つのキー接点を設ける必要があるが、上記特許文献１に記載の携帯電話機のように十字キーを第二の筐体の側面に設ける構成では、四つのキー接点間の距離を十分に取ることができず、誤操作の危険性があった。そのため筐体の厚みを厚くする必要があり、携帯電話機が大型化してしまうという問題があった。
本発明は、上記事情に鑑みてなされたもので、表示部を表にして折り畳んだ状態でも、操作面に設けた十字キーと同様の機能を有する十字キーを正確に操作することができ、また、薄型化を図ることのできる折り畳み式電子機器を提供することを目的としている。
【課題を解決するための手段】
【０００４】
上記課題を解決するため、請求項１の発明は、表示部を有する第一の筐体と操作部を有する第二の筐体とを互いに開閉動作させる際に中心となる開閉軸と、
前記第一の筐体と前記第二の筐体とを開いた状態で前記第一の筐体を前記第二の筐体に対して回動動作させる際に中心となる回動軸と、を備えた折り畳み式電子機器において、
前記第二の筐体の操作面に十字キーが設けられるとともに、第二の筐体の一つの側面に前記十字キーのうちの二方向のキーと同様の機能を有する第二の筐体用二方向キーが設けられ、
前記表示部が表となるように前記第一の筐体を前記開閉軸を中心として折り畳んだ際に、前記第一の筐体の側面のうち前記第二の筐体用二方向キーと同じ側の側面に、前記十字キーのうちの他の二方向キーと同様の機能を有する第一の筐体用二方向キーが、前記第二の筐体用二方向キーに近接して設けられていることを特徴とする。
【０００５】
請求項１の発明によれば、表示部が表となるように第一の筐体を折り畳んだ際に、第二の筐体用二方向キーと第一の筐体用二方向キーとが、各筐体の同じ側の側面に近接して配置されるので、第一の筐体を開いて操作面に設けた十字キーを操作することなく、表示部を表にして折り畳んだ状態で十字キーと同様の操作を容易に行うことができる。また、従来のように、一方の筐体の側面に十字キーを設ける場合に比して、二つの筐体の側面にそれぞれ分割して十字キーと同様の機能を有する第一の筐体用二方向キー及び第二の筐体用二方向キーを設けたので、キー接点間の距離を十分に取ることができる。そのため、キー配置が容易であるとともに誤操作を防止することができる。また、キー接点間の距離を確保するために各筐体の厚みを厚くする必要もないので、電子機器の薄型化を図ることができる。
【０００６】
請求項２の発明は、中心となる開閉軸と、
前記第一の筐体と前記第二の筐体とを開いた状態で前記第一の筐体を前記第二の筐体に対して回動動作させる際に中心となる回動軸と、を備えた折り畳み式電子機器において、  前記第二の筐体の操作面に十字キーが設けられるとともに、第二の筐体の一つの側面に前記十字キーのうちの二方向のキーと同様の機能を有する二つの第二の筐体用キーが互いに近接して設けられ、
前記表示部が表となるように前記第一の筐体を前記開閉軸を中心として折り畳んだ際に、前記第一の筐体の側面のうち前記二つの第二の筐体用キーと同じ側の側面に、前記十字キーのうちの他の二方向キーと同様の機能を有する二つの第一の筐体用キーが互いに近接するとともに、前記二つの第二の筐体用キーと近接して設けられていることを特徴とする。
【０００７】
請求項２の発明によれば、表示部が表となるように第一の筐体を折り畳んだ際に、二つの第二の筐体用キーと、二つの第一の筐体用キーとが、各筐体の同じ側の側面に近接して配置されるので、第一の筐体を開いて操作面に設けた十字キーを操作することなく、表示部を表にして折り畳んだ状態で十字キーと同様の操作を容易に行うことができる。また、従来のように、一方の筐体の側面に十字キーを設ける場合に比して、二つの筐体の側面にそれぞれ分割して十字キーと同様の機能を有する二つの第一の筐体用キー及び二つの第二の筐体用キーを設けたので、キー接点間の距離を十分に取ることができる。そのため、キー配置が容易であるとともに誤操作を防止することができる。また、キー接点間の距離を確保するために各筐体の厚みを厚くする必要もないので、電子機器の薄型化を図ることができる。
【発明の効果】
【０００８】
本発明によれば、操作面に設けた十字キーを操作することなく、表示部を表にして折り畳んだ状態で十字キーと同様の操作を容易に行うことができる。また、キー接点間の距離を十分に取ることができることから誤操作を防止でき、さらに電子機器の薄型化を図ることができる。
【発明を実施するための最良の形態】
【０００９】
以下、本発明の実施の形態を、携帯電話機を例に挙げて図面に基づいて説明する。
図１は、本発明に係る携帯電話機１００を開いた状態における斜視図、図２は、図１における正面図、図３は、図１における背面図である。
折り畳み式携帯電話機１００は、液晶ディスプレイ（表示部）１４が設けられた第一の筐体１と、操作キー群（操作部）２４が設けられた第二の筐体２とが開閉自在に連結されている。
【００１０】
第一の筐体１は、図示の状態で折り畳んだ際に内側（第二の筐体２側）に位置するフロントケース１２と、外側に位置するリアケース１３とから構成されている。フロントケース１２の下端部にはフロントヒンジケース１６が設けられ、リアケース１３にはリアヒンジケース１７が設けられている。
フロントケース１２とリアケース１３との間には、液晶ディスプレイ１４を構成する表示部側基板等を支持する中ケース（図示しない）やスピーカ１５等が収納されている。
また、中ケースには、第一の筐体１と第二の筐体２とを開いた状態で第一の筐体１を第二の筐体２に対して回動動作させる際に中心となる上下に延在する回動軸３が第一のブラケット（図示しない）によって固定されている。回動軸３の下端部には、回動軸３と垂直となるように第二の筐体２側に延在する第二のブラケット５が取り付けられ、この第二のブラケット５の第二の筐体２側に延在する端部が、第二の筐体２に対して開閉動作させる際に中心となる左右に延在する開閉軸４に連結されている。そして、回動軸３及び第二のブラケット５の一部は、フロントヒンジケース１６及びリアヒンジケース１７に覆われて外側から見えないようになっている。また、第二のブラケット５の残余の部分及び開閉軸４は、開閉軸部フロントカバー１８及び開閉軸部リアカバー１９で覆われて外側から見えないようになっている。
【００１１】
第二の筐体２は、折り畳んだ際に内側（第一の筐体１側）に位置するフロントケース２２と、外側に位置するリアケース２３とから構成されている。
フロントケース２２とリアケース２３との間には、折り畳み式携帯電話機１００全体を制御するメインプロセッサ等が設けられた回路基板を支持する中ケース（図示しない）、操作キー群２４、マイク（図示しない）、バッテリー（図示しない）、カメラユニット２６等が収納されている。
フロントケース２２は、表面側に窪んだ略箱状のものであり、フロントケース２２の表面には内部に収容した操作キー群２４のうちの複数のキートップ２４２a〜２４２jが表面に露出するようにキートップ２４２a〜２４２jの周囲を表面側から囲む平面視略長方形状の開口部２２１が形成されている。また、フロントケース２２の上端部には、開閉軸４が配置される平面視略矩形状の切欠部２２２が形成されている。なお、開閉軸４は前述したように開閉軸部フロントカバー１８及び開閉軸部リアカバー１９に覆われて外側から見えないようになっている。
リアケース２３は、裏面側に窪んだ略箱状のものであり、その底面には内部に収容したバッテリーを外部に取り出し可能とする開口部が形成され、開口部がバッテリーカバー２３１によって覆われている。また、リアケース２３の底面には内部に収容したカメラユニット２６のレンズ部２６１やカメラの起動時や撮影時に点灯・点滅するランプ２３３、撮影用の照明ライト２３４、赤外線ポート２３５等が露出されている。
【００１２】
第二の筐体２の中ケースは、マグネシウム合金からなり、その上端部には開閉軸４が図示しないブラケットによって取り付けられている。
また、第二の筐体２の中ケースの裏面側には図示しないがメインプロセッサ、メモリ、モデム、ＴＶチューナ、電源ＩＣ等が設けられた回路基板が組み付けられており、表面側に、ドームスイッチのような可動接点と固定接点とを備えた薄型の押圧式スイッチが複数設けられたキー基板が組み付けられている。
【００１３】
キー基板の表面には、ベースラバー（図示しない）と、ベースラバーに重ねられる中フレーム２４１と、さらに中フレーム２４１に重ねられる複数のキートップ２４２a〜２４２jとを備えた操作キー群２４が配置されている。
複数のキートップ２４２には、ダイヤルキー２４２a、発信キー２４２b、電源／終了キー２４２c、メモ／クリアキー２４２d、十字キー２４２e、決定キー２４２f、アプリキー２４２ｇ、メールキー２４２h、アドレス帳キー２４２i、ネット接続キー２４２jがあり、これらが所定位置に配置されている。
そして、これら複数のキートップ２４２a〜２４２jをフロントケース２２の開口部２２１から露出させるとともに、キートップ２４２a〜２４２jの周囲を表面側から囲むようにフロントケース２２がリアケース２３に組み合わされることにより、操作キー群２４がフロントケース２２とリアケース２３に挟持されている。
また、操作キー群２４を構成する中フレーム２４１の左上及び右上のコーナー部には、各コーナー部に沿って円弧状に隆起した第一の凸部２８a，２８bが形成されている。これら第一の凸部２８a，２８bは、第一の筐体１及び第二の筐体２を折り畳んだ際に、回動軸３及び開閉軸４による各筐体１，２のガタつきを防止するためのものである。また、左上のコーナー部に設けた第一の凸部２８aの近傍、すなわち第一の凸部２８aの開閉軸４側とは反対側の根元に中フレーム２４１を貫通するマイク孔２５１が形成されている。マイク孔２５１の裏面には図示しないマイクが取り付けられている。したがって、マイク孔２５１の近傍に通話者の指が当たっても第一の凸部２８aに指が当たることで、第一の凸部２８aと指との間に隙間が形成されることからマイク孔２５１が指で塞がれないようになっている。
【００１４】
さらに、中フレーム２４１の下端部中央には、左右に延在する直線状に隆起した第二の凸部２９が形成されている。第二の凸部２９は、第一の筐体１及び第二の筐体２を折り畳んだ際のガタつきを防止するためのものである。なお、この第二の凸部２９の近傍には、第二の筐体２内で発生した熱を逃がす放熱孔２９１が形成されている。
【００１５】
図４は、携帯電話機１００の液晶ディスプレイ１４を内側にして折り畳んだ状態の斜視図、図５(a)は図４における右側面図、(b)は図４における左側面図、(c)は図５(b)においてイヤホンキャップ２０６及び外部接続端子キャップ２０８を外した際の図４における左側面図、図６(a)は、携帯電話機１００の液晶ディスプレイ１４を外側にして折り畳んだ状態の斜視図、(b)は(a)の要部拡大図、図７(a)は図６における右側面図、(b)は図６における左側面図である。
図６に示すように、第一の筐体１の液晶ディスプレイ１４を外側にして折り畳んだ状態における、第一の筐体１の右側面（図７(a)参照）には、マナーメニューを呼び出し、マナーモードの設定及び解除を行うマナーキー１０１や、上述の決定キー２４２fと同様の機能、すなわち、メインメニューの呼び出しや、十字キー２４２eにより選択されたメニューや機能の確定などを行うサイド決定キー１０２、ＴＶモードを起動するＴＶキー１０３、上述の十字キー２４２eのうち上キーと下キーと同様の機能を有するサイド上下キー（ＴＶモード時には音量調整が可能なキー）（第一の筐体用二方向キー）１０４が設けられている。
また、液晶ディスプレイ１４を外側にして折り畳んだ状態における、第二の筐体２の右側面（図７(a)参照）、すなわち、リアケース２３の右側面には、ＴＶ用アンテナ２７が収納される収納部２０１が第二の筐体２の長手方向に沿って形成され、この収納部２０１にＴＶ用アンテナ２７が収納されている。また、フロントケース２２の右側面には、メモリーカードスロット２０２が設けられ、さらに、上述の十字キー２４２fのうち左キーと右キーと同様の機能を有するサイド左右キー（ＴＶモード時にはチャンネルの切り替えが可能なキー）（第二の筐体用二方向キー）２０３、カメラのシャッタキー２０４が設けられている。
【００１６】
サイド上下キー１０４及びサイド左右キー２０３は、各筐体１，２の側面に沿って延在する二接点キーである。そして、液晶ディスプレイ１４を外側にして第一の筐体１及び第二の筐体２を折り畳んだ状態で、サイド上下キー１０４とサイド左右キー２０３とは、第一の筐体１の側面と第二の筐体２の側面とで互いに対応する位置に近接して配置されている。
このサイド上下キー１０４とサイド左右キー２０３とは、液晶ディスプレイ１４を内側にして折り畳んだ場合には、図５(a)，(b)に示すように、第一の筐体１及び第二の筐体２の各側面において異なる側面に配置される。
【００１７】
また、図４に示すように、液晶ディスプレイ１４を内側にして折り畳んだ状態における、第二の筐体２の左側面（図５(b)，(c)参照）には、平型ステレオイヤホンが接続されるイヤホン端子２０５が設けられ、このイヤホン端子２０５にイヤホンキャップ２０６が取り付けられている。さらに、第二の筐体２の左側面に、ＵＳＢケーブルなどの接続に使用する外部接続端子２０７が設けられ、この外部接続端子２０７に外部接続端子キャップ２０８が取り付けられている。また、イヤホン端子２０６と外部接続端子２０８との間に、卓上ホルダで充電する際に使用する充電端子２０９が設けられている。
【００１８】
次に、折り畳み式携帯電話機１００の動作について説明する。
図４に示すように液晶ディスプレイ１４が内側となるように折り畳んだ状態では、図５(a)及び図５(b)に示すように、サイド上下キー１０４は第一の筐体１の左側面に配され、サイド左右キー２０３は第二の筐体２の右側面に配される。
そこで、図１に示すように開閉軸４を中心として第一の筐体１を第二の筐体２に対して開くことによって第二の筐体２の内面に配置されたキートップ（十字キー２４２e等）２４２a〜２４２jを押下でき、所望の操作を行うことができる。さらに、この開いた状態から回動軸３を中心として第一の筐体１を１８０度回転させることにより液晶ディスプレイ１４を外側に向けた後、開閉軸４を中心として図６に示すように折り畳む。液晶ディスプレイ１４が外側となるように折り畳んだ状態では、図６(a)及び図７(ａ)に示すように、サイド上下キー１０４は第一の筐体１の右側側面に配され、サイド左右キー２０３は第二の筐体２の右側面に配される。そのため、図１のように第一の筐体１を開いて十字キー２４２eを操作することなく、液晶ディスプレイ１４を外側に向けて画面を見たまま、サイド上下キー１０４とサイド左右キー２０３とで十字キー２４２eと同様の操作を行うことができる。
【００１９】
以上、本発明の実施の形態によれば、液晶ディスプレイ１４が表となるように第一の筐体１を折り畳んだ際に、サイド上下キー１０４とサイド左右キー２０３とが、各筐体１，２の同じ側の側面において上下に対応するように近接配置されるので、第一の筐体１を開いて十字キー２４２eを操作することなく、液晶ディスプレイ１４を表にして折り畳んだ状態、例えば、ＴＶを鑑賞した状態でも、十字キー２４２eと同様の操作を容易に行うことができる。
また、第一の筐体１及び第二の筐体２の側面にそれぞれ分割してサイド上下キー１０４及びサイド左右キー２０３を設けたので、キー接点間の距離を十分に取ることができる。そのため、キー配置が容易となり、また、誤操作を防止することができる。さらに、キー接点間の距離を確保するために各筐体１，２の厚みを厚くする必要もないので、携帯電話機１００の薄型化を図ることができる。
【００２０】
なお、本発明の実施の形態は、上記実施の形態に限定されるものではなく、その要旨を逸脱しない範囲で適宜変更可能である。
例えば、サイド上下キー１０４は、二接点キーであるとしたが、このサイド上下キー１０４を、さらにサイド上キーとサイド下キーとに分割してそれぞれ一つの接点キーとし、互いに近接して設けても良い。また、サイド左右キー２０３も同様に、サイド左キーとサイド右キーとに分割してそれぞれ一つの接点キーとし、互いに近接して設けても良い。また、サイド上下キー１０４のみを二接点キーとし、サイド左右キー２０３をサイド左キーとサイド右キーとに分割しても良いし、サイド左右キー２０３のみを二接点キーとし、サイド上下キー１０４をサイド上キーとサイド下キーとに分割しても構わない。
【００２１】
また、サイド上下キー１０４の機能は、十字キー２４２eのうち上キーと下キーと同様の機能を有し、例えばＴＶモード時に音量調整が可能で、サイド左右キー２０３の機能は、十字キー２４２eのうち左キーと右キーと同様の機能を有し、例えばＴＶモード時にはチャンネルの切り替えが可能であるとしたが、これらサイド上下キー１０４及びサイド左右キー２０３の機能をそれぞれ逆にしても良く、さらに、その他、カメラモード時に照明調整やズーム調整等が可能な機能を有するものとしても良く、適宜変更可能である。
【００２２】
また、上記実施の形態では折り畳み式携帯電話機１００に適用したが、携帯電話機１００に限らず、ＰＨＳ、トランシーバ、ＰＤＡ、携帯用パーソナルコンピュータ等の他の電子機器にも適用可能である。
【図面の簡単な説明】
【００２３】
【図１】携帯電話機１００の開いた状態における斜視図である。
【図２】図１における携帯電話機１００の正面図である。
【図３】図１における携帯電話機１００の背面図である。
【図４】液晶ディスプレイ１４を内側にして折り畳んだ状態の斜視図である。
【図５】(a)は図４における携帯電話機１００の右側面図、(b)は図４における携帯電話機１００の左側面図、(c)は図５(b)においてイヤホンキャップ２０６及び外部接続端子キャップ２０８を外した際の図４における左側面図である。
【図６】(a)は液晶ディスプレイ１４を外側にして折り畳んだ状態の斜視図、(b)は(a)の要部拡大図である。
【図７】(a)は図６における携帯電話機１００の右側面図、(b)は図６における携帯電話機１００の左側面図である。
【符号の説明】
【００２４】
１  第一の筐体
２  第二の筐体
３  回動軸
４  開閉軸
１４  液晶ディスプレイ（表示部）
２４  操作部（操作キー群）
１０４  サイド上下キー（第一の筐体用二方向キー）
２０３  サイド左右キー（第二の筐体用二方向キー）
２４２e  十字キー
１００  携帯電話機（折り畳み式電子機器）
【図１】
2007194855.tif 000003
【図２】
2007194855.tif 000004
【図３】
2007194855.tif 000005
【図４】
2007194855.tif 000006
【図５】
2007194855.tif 000007
【図６】
2007194855.tif 000008
【図７】
2007194855.tif 000009
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
表示部を有する第一の筐体と操作部を有する第二の筐体とを備え、前記第一の筐体を前記第二の筐体に対して表示部を表にしても裏にしても折り畳むことが可能な折り畳み式電子機器において、
前記第二の筐体には、前記第一の筐体が折り畳まれた際に当該第一の筐体で覆われる面に十字キー含む複数の操作キーが設けられるとともに、一つの側面に前記十字キーのうちの二方向のキーと同様の機能を有する第二の筐体用二方向キーが設けられ、
前記第一の筐体には、当該第一の筐体を表示部を表にして折り畳んだ際に前記第二の筐体用二方向キーが設けられている前記第二の筐体の側面と同じ側になる側面に、前記十字キーのうちの他の二方向キーと同様の機能を有する第一の筐体用二方向キーが、前記第二の筐体用二方向キーに近接して設けられていることを特徴とする折り畳み式電子機器。
【請求項２】
表示部を有する第一の筐体と操作部を有する第二の筐体とを備え、前記第一の筐体を前記第二の筐体に対して表示部を表にしても裏にしても折り畳むことが可能な折り畳み式電子機器において、
前記第二の筐体には、前記第一の筐体が折り畳まれた際に当該第一の筐体で覆われる面に十字キー含む複数の操作キーが設けられるとともに、一つの側面に前記十字キーのうちの二方向のキーと同様の機能を有する二つの第二の筐体用キーが互いに近接して設けられ、
前記第一の筐体には、当該第一の筐体を表示部を表にして折り畳んだ際に前記二つの第二の筐体用キーが設けられている前記第二の筐体の側面と同じ側になる側面に、前記十字キーのうちの他の二方向キーと同様の機能を有する二つの第一の筐体用キーが、互いに且つ前記二つの第二の筐体用キーに近接して設けられていることを特徴とする折り畳み式電子機器。
【手続補正２】
【補正対象書類名】明細書
【補正対象項目名】０００４
【補正方法】変更
【補正の内容】
【０００４】
上記課題を解決するために、請求項１の発明は、表示部を有する第一の筐体と操作部を有する第二の筐体とを備え、前記第一の筐体を前記第二の筐体に対して表示部を表にしても裏にしても折り畳むことが可能な折り畳み式電子機器において、
前記第二の筐体には、前記第一の筐体が折り畳まれた際に当該第一の筐体で覆われる面に十字キー含む複数の操作キーが設けられるとともに、一つの側面に前記十字キーのうちの二方向のキーと同様の機能を有する第二の筐体用二方向キーが設けられ、
前記第一の筐体には、当該第一の筐体を表示部を表にして折り畳んだ際に前記第二の筐体用二方向キーが設けられている前記第二の筐体の側面と同じ側になる側面に、前記十字キーのうちの他の二方向キーと同様の機能を有する第一の筐体用二方向キーが、前記第二の筐体用二方向キーに近接して設けられていることを特徴とする。
【手続補正３】
【補正対象書類名】明細書
【補正対象項目名】０００６
【補正方法】変更
【補正の内容】
【０００６】
請求項２の発明は、表示部を有する第一の筐体と操作部を有する第二の筐体とを備え、前記第一の筐体を前記第二の筐体に対して表示部を表にしても裏にしても折り畳むことが可能な折り畳み式電子機器において、
前記第二の筐体には、前記第一の筐体が折り畳まれた際に当該第一の筐体で覆われる面に十字キー含む複数の操作キーが設けられるとともに、一つの側面に前記十字キーのうちの二方向のキーと同様の機能を有する二つの第二の筐体用キーが互いに近接して設けられ、
前記第一の筐体には、当該第一の筐体を表示部を表にして折り畳んだ際に前記二つの第二の筐体用キーが設けられている前記第二の筐体の側面と同じ側になる側面に、前記十字キーのうちの他の二方向キーと同様の機能を有する二つの第一の筐体用キーが、互いに且つ前記二つの第二の筐体用キーに近接して設けられていることを特徴とする。